(57)【要約】【課題】基材とその外周に装着される縁材との間の隙間を小さくすることが可能な意匠部材を提供する。【解決手段】目盛リング１は、樹脂材質から円環状に形成された基材３とその外周側に同軸上に配置された円環状のトリムリング２とから構成され、基材３は、その外周側面３ｂから径方向に突き出すフランジ部３ｃを備え、トリムリング２は、基材３の外周側面３ｂおよびフランジ部３ｃを覆うようにして基材３に装着され、トリムリング２単体時の内径寸法ｄは基材３の外径寸法Ｄよりも小さく設定され、トリムリング２は手作業により容易に拡径変形可能な柔軟性を有している。トリムリング２は、自身に作用する収縮力により基材３に密着する。これにより、基材３と、その外周に装着されるトリムリング２との間の隙間をほぼ０とすることが可能な目盛リング１を提供することができる。【選択図】図３
2009025216.tif 000002
【特許請求の範囲】
【請求項１】
計器の文字盤の前面側に重ねて配置された意匠部材であって、
意匠部材は、透光性材質により円環状に形成された基材と該基材の外周側に前記基材と同軸上に配置された円環状の縁材とから構成され、
前記基材は、その外周側面から前記基材の径方向に突き出すように形成された延出部を備え、
前記縁材は、前記基材の前記外周側面および前記延出部を覆うようにして前記基材に装着され、
前記縁材の単体時における内径寸法は前記基材の外径寸法よりも小さく設定され、
前記縁材は手作業により容易に拡径変形可能な程度の柔軟性を有する材質により形成されることを特徴とする意匠部材。
【請求項２】
前記基材にはアルミニウム蒸着処理が施され且つ透過照明される表示意匠を備えることを特徴とする請求項１に記載の意匠部材。
【請求項３】
前記縁材はゴム系材質により形成されることを特徴とする請求項１または請求項２のどちらか一つに記載の意匠部材。
【請求項４】
前記縁材の前記文字盤側の端部である第１端部は前記基材の前記外周の前記文字盤側の端部である第２端部よりも前記文字盤側へ突き出していることを特徴とする請求項１ないし請求項３に記載の意匠部材。
【請求項５】
前記第１端部の一部は前記第２端部と前記文字盤との間に挟持されるように延出されることを特徴とする請求項４に記載の意匠部材。
【発明の詳細な説明】
【技術分野】
【０００１】
本発明は、たとえば自動車に搭載されるコンビネーションメータの文字盤の前面側に重ねて配置されて文字盤の見映えを整える意匠部材に関するものである。
【背景技術】
【０００２】
従来の意匠部材としては、たとえば、車両用計器における数字目盛を備えた板部材の前面側に円環状の枠部材を配置したものがある（特許文献１参照）。
【０００３】
枠部材の表面には金属層が形成されている。
【特許文献１】特開２００３−４４９５号公報
【発明の開示】
【発明が解決しようとする課題】
【０００４】
従来の衣装部材において、枠部材表面、すなわち円環状に視認される平面部分への金属層形成は、たとえばアルミニウム蒸着等によって行われる。枠部材のような立体にアルミニウム蒸着層を形成させる場合、アルミニウム微粒子付着方向と直交する方向、あるいはそれに近い方向の面にはアルミニウム蒸着層は良好に形成されるが、アルミニウム微粒子付着方向と平行あるいはそれに近い方向の面にアルミニウム蒸着層を良好に形成することは困難である。このため、枠部材の場合、その側面部分には、アルミニウム蒸着層が形成されない部分、いわゆるピンホールが発生することがある。ピンホールの大きさは大体数十ミクロンであり人の眼では見えない。しかし、枠部材が透過照明されると、その光がピンホールを通過して出射され視認されてしまい、車両用計器の見映えが低下する可能性がある。
【０００５】
また、定着処理が施される前のアルミニウム蒸着層は非常に薄く且つ剥がれ易いため、アルミニウム蒸着層形成工程においてワークである枠部材を保持する手掛かりとなる部位を枠部材に設けている。たとえば、枠部材の外周側面に外周側面に沿うように延出部を設け、ここを蒸着作業時において治具により保持している。この延出部は、枠部材が板部材の前面に取り付けられた状態においては、車両用計器の良好な見映えを維持するために視認者の視線から遮る必要がある。
【０００６】
この対策として、たとえば、アルミ蒸着層形成処理が終了した枠部材の外周側に枠部材の外周側面を覆うように円環状の縁材を配置して、延出部自体および枠部材外周側面のピンホールからの漏光を視認者の視線から遮ることが行われている。この縁材は、通常は樹脂成型により形成されている。縁材の内径寸法は、枠部材の外径寸法よりも大きく設定され、これにより、両者の良好な組付け性を維持している。しかし、このために、枠部材の外周と縁材の内周との間に径方向隙間が生じる。この隙間は、視認者からも明瞭に見えるため、車両用計器の見映えを良好なものにすることが困難となる。
【０００７】
本発明は、上記の問題点に鑑みなされたもので、円環状の意匠部材の構成に工夫を凝らして、基材とその外周に装着される縁材との間の隙間を小さくすることが可能な意匠部材を提供することを目的とする。
【課題を解決するための手段】
【０００８】
本発明は上記目的を達成する為、以下の技術的手段を採用する。
【０００９】
本発明の請求項１に記載の意匠部材は、計器の文字盤の前面側に重ねて配置された意匠部材であって、意匠部材は、透光性材質により円環状に形成された基材と基材の外周側に基材と同軸上に配置された円環状の縁材とから構成され、基材は、その外周側面から基材の径方向に突き出すように形成された延出部を備え、縁材は、基材の外周側面および延出部を覆うようにして基材に装着され、縁材の単体時における内径寸法は基材の外径寸法よりも小さく設定され、縁材は手作業により容易に拡径変形可能な程度の柔軟性を有する材質により形成されることを特徴としている。
【００１０】
上述の構成によれば、縁材を拡径して基材の外周側面に装着すると、縁材には元の形状に戻ろうとする力、つまり元の内径寸法に縮まろうとする力が働き、この力は基材の外周を締め付けるように作用する。この力により、縁材は基材の外周側面に、樽のたがのように固定される。同時に、縁材の内周面が基材の外周側面に密着するため、両者の間には隙間が生じない。これにより、基材とその外周に装着される縁材との間の隙間を小さくすることが可能な意匠部材を提供することができる。
【００１１】
この場合、本発明の請求項２に記載の意匠部材のように、基材にはアルミニウム蒸着処理が施され且つ透過照明される表示意匠を備える構成とすれば、請求項１に記載の構成による効果を最大限に活かすことができる。
【００１２】
本発明の請求項３に記載の意匠部材は、縁材はゴム系材質により形成されることを特徴としている。
【００１３】
ゴム径材質は、柔軟性を有するとともに、その特性の種類が豊富であって所望の柔軟性を容易に得ることができる。したがって、基材の外周に装着作業が容易に実施できると同時に外れ難いような縁材を形成することができる。
【００１４】
本発明の請求項４に記載の意匠部材は、縁材の文字盤側の端部である第１端部は基材の外周の文字盤側の端部である第２端部よりも文字盤側へ突き出していることを特徴としている。
【００１５】
上述の構成によれば、基材に縁材が装着されてなる意匠部材が文字盤に取り付けられると、意匠部材の内周側においては基材が文字盤表面に当接するが、意匠部材の外周側においては基材の外周の文字盤側の端部である第２端部は文字盤に当接せず、縁材の第１端部が文字盤に当接している。縁材は柔軟性を有する材質、たとえばゴム等から形成されている。このため、縁材は、文字盤および意匠部材に加振力が作用した際に両者が断続的に当接した場合に緩衝材として作用する。したがって、文字盤および意匠部材に加振力が作用し両者が断続的に当接して異音を発することを抑制することができる。
【００１６】
この場合、本発明の請求項５に記載の意匠部材のように、第１端部の一部は第２端部と文字盤との間に挟持されるように延出される構成とすれば、意匠部材が文字盤に取り付けられた状態において、基材の第１端部と文字盤との間に必ず縁材が介在することになる。これにより、基材の第１端部が文字盤に直接当接することを阻止して、文字盤および意匠部材に加振力が作用したときに、両者が断続的に当接して異音を発することを抑制することができる。
【発明を実施するための最良の形態】
【００１７】
以下、本発明による意匠部材を、計器である、自動車の車室内に設置されたコンビネーションメータ１００に設けられたタコメータＴに装着される目盛リング１に適用した場合を例に図面に基づいて説明する。
【００１８】
コンビネーションメータ１００は、当該自動車の車室内の運転席前方に運転者が視認可能に設けられ、当該自動車の作動状態に関する情報（エンジン回転速度、走行速度、エンジン冷却水温度等）およびその他の各種情報を表示している。
【００１９】
計器であるタコメータＴは、当該自動車のエンジンの回転速度を表示するもので、指針８の回転角度位置により物理量の大きさを指示する、いわゆる指針計器である。
【００２０】
以下、タコメータＴの構成について説明する。
【００２１】
文字盤４は、透光性材質、たとえば無色透明のポリカーボネート樹脂あるいはアクリル樹脂等の薄板から形成されている。文字盤４は、タコメータＴの数字や単位を表すローマ字等の文字４ａを備えている。
【００２２】
文字４ａは、文字盤４を形成する樹脂板の表面に透光性着色層を施して形成されている。すなわち、文字４ａを包含する部分に透光性着色層を施し、この透光性着色層の上から文字４ａの輪郭の外側部分に遮光性着色層を施している。本発明の一実施形態によるタコメータＴにおいては、透光性着色層は白色、遮光性着色層は黒色である。透光性着色層および遮光性着色層は印刷あるいはホットスタンプを施して形成されている。これにより、文字盤４背後に配置された光源である発光ダイオード５からの光に照射されると、文字４ａは黒色を背景として発光ダイオード５の発光色で発光表示される。
【００２３】
文字盤４の前面側、つまり図２において左側には、後述する意匠部材としての目盛リング１が文字盤４の前面側、つまり図２において左側に重ねて配置されている。文字盤４において目盛リング１が重ねられる部分には、上述した遮光性着色層が設けられずに透明となっている。これにより、文字盤４背後に配置された発光ダイオード５からの光は、文字盤４の透明部分を透過して目盛リング１内に入射することになる。
【００２４】
文字盤４は、図２に示すように、その中央部に、後述するムーブメント１０のシャフト１０ａあるいは指針８のボス部８ａを挿通させるための貫通孔４ｂを備えている。
【００２５】
文字盤４の裏側（図２において右側）には、図２に示すように、文字盤４の文字４ａ、および後述する目盛リング１の目盛３ａを透過照明するための光源である発光ダイオード５が配置されている。本発明の一実施形態によるタコメータＴにおいては、発光ダイオード５は、白色発光ダイオードが用いられている。発光ダイオード５は、図２に示すように、文字盤４の背後に配置されたプリント基板７上に実装されている。
【００２６】
文字盤４と発光ダイオード５と間には、図２に示すように、導光板６が配置されている。導光板６は、透光性材質、たとえば無色透明のポリカーボネート樹脂あるいはアクリル樹脂等から成型され、図１に示すように、略Ｃ字状に形成されて、文字盤４の裏面に密着して固定されている。導光板６は、図２に示すように、光入射部６ａを備え、この光入射部６ａに発光ダイオード５が発する光が入射する。導光板６は、発光ダイオード５が発する光をその内部で反射を繰り返しつつ進行させて、文字盤４に密着している面全域が均一な明るさで文字盤４を照射している。
【００２７】
文字盤４の裏側（図２において右側）には、図２に示すように、タコメータＴの電気回路部を形成しているプリント基板７が配置されている。
【００２８】
プリント基板７は、たとえばガラスエポキシ基材等からなり、発光ダイオード５、後述する指針８を照明するための発光ダイオード９が実装されている。プリント基板７は、タコメータＴのみならず、コンビネーションメータ１００全体の電気回路部を形成している。
【００２９】
プリント基板７には、指針８を回動させるためのムーブメント１０が実装されている。ムーブメント１０は、たとえば交差コイル式アクチュエータあるいはステッピングモータ等が用いられている。ムーブメント１０は、外部から電圧を印加されるとトルクを発生し回転軸であるシャフト１０ａを回動させる。シャフト１０ａは、その先端が、図２に示すように文字盤４の表面側（図２の左側）に延出されている。シャフト１０ａの先端には、指針８が固定されている。
【００３０】
指針８は、透光性材料、たとえば無色透明のポリカーボネート樹脂あるいはアクリル樹脂等から形成され、図２に示すように、文字盤４の表面に沿って配置されている。指針８は、ムーブメント１０が駆動されてシャフト１０ａが回動すると、シャフト１０ａと一体的に回動する。また、指針８の裏面８ｂには、印刷あるいはホットスタンプ等に着色（たとえば赤色）されている。指針８に入射した発光ダイオード９から発せられた光は、指針８の反射面８ｃで指針８の先端方向に向けて反射され、さらにこの反射光が裏面８ｂで運転者の視認方向に反射される。本発明の一実施形態によるタコメータＴにおいては、発光ダイオード９として白色発光ダイオードが用いられている。したがって、指針８は、赤色で発光表示される。
【００３１】
以上説明した、目盛リング１、文字盤４およびプリント基板７等は、ケーシング１１内に収容・固定されている。ケーシング１１は、たとえば樹脂材料等から形成されている。一方、文字盤４の前面側（図２において左側）には、略枠状の見返し板１２が装着されている。見返し板１２は、たとえば樹脂材料から形成されている。見返し板１２は、コンビネーションメータ１００の見映えを整えるとともに、コンビネーションメータ１００内部への埃、水分の侵入を防止している。
【００３２】
一方、ケーシング１１の背後には、図２に示すように、ロアカバー１３が装着されている。ロアカバー１３は、たとえば樹脂材料から形成されている。
【００３３】
次に、本発明の一実施形態による意匠部材である目盛リング１の構成について説明する。
【００３４】
目盛リング１は、透光性材質、たとえば無色透明のアクリル樹脂等から成型加工された基材３と、基材３の外周側に基材３と同軸上に配置され柔軟性を有する材質であるゴムから形成された円環状の縁材であるトリムリング２とから構成されている。基材３の前面側（視認者側、図２において左側）には、目盛３ａが突起状に形成されている。目盛３ａは、図１に示すように、１０００ｒｐｍ毎に設けられている。
【００３５】
基材３は円環状に形成されるとともに、図２に示すように、突起状の目盛３ａが複数個放射状に配置設けられている。基材３の外周側面３ｂには、基材３の径方向外周側に突き出すように形成された延出部であるフランジ部３ｃが設けられている。このフランジ部３ｃは、基材３の全周に亘り連続して設けられている。基材３の表面には、目盛３ａの前面（視認者側の面、図２において左側の面）を除く部分に、金属被膜であるアルミニウム蒸着層であるアルミニウム蒸着膜が形成されている。基材３へのアルミニウム蒸着膜形成工程においては、基材３は、そのフランジ部３ｃを介して治具に保持されている。このため、アルミニウム蒸着膜形成工程において、基材３のフランジ部３ｃを除く部位は、治具等に接触しないので付着したアルミニウム蒸着膜が剥がれる等の損傷を受けることが無い。
【００３６】
ここで、基材３の製作工程について、アルミニウム蒸着膜形成工程を中心に説明する。先ず、基材３の表面にプライマ層を形成する。プライマ層は、アルミニウム蒸着膜の基材３への食い付き性、つまり密着性を高める役割を果たしている。プライマ層は、ほぼ無色透明である。次に、基材３をそのフランジ部３ｃを介して治具に保持してアルミニウム蒸着膜を付着させる。次に、アルミニウム蒸着膜の上にトップコート層を積層形成する。トップコート層は、無色透明または薄色着色の塗料を塗布して形成され、アルミニウム蒸着膜の表面を保護する役割を果たしている。最後に、基材３の目盛３ａの上面に切削加工を施し樹脂の表面を露出させて、目盛３ａを透明状態とする。
【００３７】
上述した製作工程を経ることにより、基材３は、目盛３ａの前面が透明のままであり、これらを除いた表面全域がアルミニウム調見映え、すなわち金属調の見映えとなっている。アルミニウム蒸着膜は遮光性であるため、文字盤４背後に配置された発光ダイオード５からの光により、文字盤４を介して基材３を照射すると、目盛３ａのみがこの光により透過照明されてアルミニウムの金属色を背景として発光表示される。
【００３８】
基材３の外周側に装着されているトリムリング２には、その内径部の全周にわたるに環状溝２ａが、図２に示すように、設けられている。トリムリング２の単体時における内径寸法ｄは、図３（ａ）、図３（ｂ）に示すように、基材３の外径寸法Ｄ、詳しくは外周側面３ｂの外径寸法Ｄよりも小さく設定されている。トリムリング２の環状溝２ａの形状は、基材３のフランジ部３ｃにちょうど嵌合するように形成されている。
【００３９】
目盛リング１は、図２に示すように、文字盤４の前面側（視認者側、図２において左側）に文字盤４に重ねて配置されている。目盛リング１は、指針８の回動中心と同軸上に配置されている。
【００４０】
次に、本発明の一実施形態による目盛リング１の製作方法、すなわち基材３とトリムリング２との組付け方法について説明する。
【００４１】
先ず、基材３のフランジ部３ｃと、トリムリング２の環状溝２ａとを、フランジ部３ｃの外周一箇所で嵌合させる。
【００４２】
次に、トリムリング２を、その直径を拡大するように周方向に引張りながら、環状溝２ａとフランジ部３ｃとの嵌合部分の長さを増大させるようにして、トリムリング２を基材３の外周に装着する。
【００４３】
基材３へのトリムリング２装着が完了した状態において、基材３の外周側面３ｂとトリムリング２の内周面は密着しており両者間に隙間は無い。また、この状態で、トリムリング２は、その単体時に比べて内径が拡大されている。すなわち周方向長さが延長されて弾性変形している。この弾性変形によりトリムリング２に生じる弾性力は、基材３とトリムリング２との接触面において基材３の径方向において基材３の中心に向かう方向に作用している。この弾性力により、トリムリング２は、基材３に強固に固定される。トリムリング２を形成するゴム材質としては、上述した基材３とトリムリング２との組付け作業を、作業者の手作業で容易且つ確実に実施できるような硬度を備えるものが選定されている。
【００４４】
以上説明した、本発明の一実施形態による目盛リング１は、樹脂材質から円環状に形成された基材３と基材３の外周側に基材３と同軸上に配置されゴム材質から円環状に形成されたトリムリング２とから構成され、基材３は、その外周側面３ｂから基材３の径方向に突き出すように形成されたフランジ部３ｃを備え、トリムリング２は、基材３の外周側面３ｂおよびフランジ部３ｃを覆うようにして基材３に装着され、トリムリング２の単体時における内径寸法ｄは基材３の外径寸法Ｄよりも小さく設定され、トリムリング２は手作業により容易に拡径変形可能な程度の柔軟性を有することを特徴としている。
【００４５】
トリムリング２を拡径して基材３の外周側面３ｂに装着すると、トリムリング２には元の形状に戻ろうとする力、つまり元の内径寸法ｄに縮まろうとする力が働き、この力は基材３の外周を締め付けるように作用する。この力により、トリムリング２は基材３の外周側面３ｃに、樽のたがのように固定される。同時に、トリムリング２の内周面が基材３の外周側面３ｃに密着するため、両者の間には隙間が生じない。したがって、基材３と、その外周に装着されるトリムリング２との間の隙間をほぼ０とすることが可能な目盛リング１を提供することができる。これにより、目盛リング１の見映えがより一体感の強いものにできる。このような目盛リング１を文字盤４の前面側に文字盤４と重ねて配置すれば、タコメータＴの見映えを良好なものとすることができる。
【００４６】
次に、本発明の一実施形態による目盛リング１の変形例について説明する。
【００４７】
この目盛リング１の変形例においては、図４に示すように、トリムリング２の文字盤４側端部である第１端部としての端面２ｂを、基材３外周における文字盤４側の端部である第２端部としての端面３ｄよりも文字盤４側へ突き出させている。この構成によると、目盛リング１が文字盤４へ装着されると、基材３の端面３ｄは文字盤４に当接せず、トリムリング２の端面２ｂが当接している。このため、文字盤４および目盛リング１に加振力が作用し両者が断続的に当接する場合において、基材３の外周においてはゴム製のトリムリング２の端面３ｄが当接するので、目盛リング１と文字盤４とが断続的に当接して異音を発することを抑制することができる。
【００４８】
次に、本発明の一実施形態による目盛リング１の他の変形例について説明する。
【００４９】
この目盛リング１の他の変形例においては、図５に示すように、トリムリング２の文字盤４側端部である第１端部としての端面２ｂの一部を基材３の端面３ｄと文字盤４との間に挟持されるように延出させている。これにより、基材の第１端部が文字盤に直接当接することを阻止して、文字盤および意匠部材に加振力が作用したときに、両者が断続的に当接して異音を発することを抑制することができる。
【００５０】
なお、以上説明した、本発明の一実施形態による目盛リング１においては、トリムリング２の材質をゴム材質としているが、柔軟性を備え手で容易に基材３へ装着可能であればゴム以外の材質を用いてもよい。
【００５１】
また、以上説明した、本発明の一実施形態による目盛リング１においては、基材３の外周側面３ｂに設けたフランジ部３ｃは基材３の全周に亘り連続して設けられているが、必ずしも連続している必要は無く、複数個に分割されていてもよい。たとえば、基材３の周方向において、複数個のフランジ部３ｃが、所定の角度間隔をおいて配置されていても良い。
【００５２】
また、以上説明した、本発明の一実施形態による目盛リング１においては、基材３には表示意匠として目盛３ａを設けているが、他の表示意匠、たとえば数字等に置き換えても良い。あるいは、表示意匠を設けない構成としてもよい。
【００５３】
また、以上説明した、本発明の一実施形態による目盛リング１は、タコメータＴに重ねて配置されているものであるが、他の種類の計器、たとえば、スピードメータ、燃料計、エンジン冷却水温計等に適用してもよい。
【図面の簡単な説明】
【００５４】
【図１】本発明の一実施形態による意匠部材目盛リング１が搭載されたコンビネーションメータ１００の部分正面図であり、タコメータＴ部を示している。
【図２】図１中のＩＩ−ＩＩ線断面図である。
【図３】（ａ）は、トリムリング２単体の部分断面図を、（ｂ）は、基材３単体の部分断面図をそれぞれ示す。
【図４】本発明の一実施形態による目盛リング１の変形例の断面図である。
【図５】本発明の一実施形態による目盛リング１の他の変形例の断面図である。
【符号の説明】
【００５５】
１    目盛リング（意匠部材）
２    トリムリング（縁材）
２ａ    環状溝
２ｂ    端面（第１端部）
３    基材
３ａ    目盛（表示意匠）
３ｂ    外周側面
３ｃ    フランジ部（延出部）
３ｄ    端面（第２端部）
４    文字盤
４ａ    文字
４ｂ    貫通孔
５    発光ダイオード
６    導光板
６ａ    光入射部
７    プリント基板
８    指針
８ａ    ボス部
８ｂ    裏面
８ｃ    反射面
９    発光ダイオード
１０    ムーブメント
１０ａ    シャフト
１１    ケーシング
１２    見返し板
１３    ロアカバー
１００    コンビネーションメータ
Ｔ    タコメータ（計器）
【図１】
2009025216.tif 000003
【図２】
2009025216.tif 000004
【図３】
2009025216.tif 000005
【図４】
2009025216.tif 000006
【図５】
2009025216.tif 000007